(57)【要約】      （修正有）【課題】輸送時や保管時にスペースを要しないようにコンパクトに収納可能な漏斗台、およびそれを備えた高流動試料の流動性試験装置を提供する。【解決手段】高流動試料の粘度を測定するための流動性試験装置は、高流動試料を投入するためのＰ漏斗１と、Ｐ漏斗を保持する漏斗台３と、Ｐ漏斗直下に置かれる試料受４とを備え、漏斗台の脚部の下部３ｄが、漏斗台の脚部の上部３ｂと着脱可能にするための結合部を有する。結合部は、一方が雄ネジ、他方が雌ねじを有して、着脱可能に固定しても良いが、リング状の中間固定部３ｃを設けることで、より強固な構造を得ることもできる。【選択図】図１
0003222843.tif 000002
【実用新案登録請求の範囲】
【請求項１】
高流動試料の粘度を測定するために使用するＰ漏斗を支持する漏斗台であって、
上記漏斗台の脚部下部が上記漏斗台の脚部上部と着脱可能にするための結合部を有する
ことを特徴とする漏斗台。
【請求項２】
高流動試料の粘度を測定するために使用するＰ漏斗を支持する漏斗台であって、
上記漏斗台の脚部上部を固定する中間固定部をさらに備え、
当該中間固定部と上記漏斗台の脚部下部とが着脱可能にするための結合部を有する
ことを特徴とする漏斗台。
【請求項３】
上記高流動試料の上記Ｐ漏斗からの流出時間を計測するためのストップウォッチを掛けるためのフックをさらに備えたことを特徴とする請求項１または２に記載の漏斗台。
【請求項４】
Ｐ漏斗を用いて高流動試料の粘度を測定するための流動性試験装置であって、
請求項１から３のいずれかに記載の漏斗台と、
上記高流動試料を投入するためのＰ漏斗と、
上記Ｐ漏斗直下に置かれる試料受と
を備えたことを特徴とする流動性試験装置。
【考案の詳細な説明】
【技術分野】
【０００１】
本考案は、モルタル等の高流動流体の流動性（粘度）を測定する装置に関する。
【背景技術】
【０００２】
モルタル等の高流動流体の流動性（粘度）を測定する装置として、Ｐ漏斗を用いた測定装置が従来より広く用いられている。
例えば、ＪＳＣＥ−Ｆ  ５２１において定められるプレパックドコンクリートの注入モルタルの流動性を測定する試験装置においては、Ｐ漏斗を漏斗台で鉛直に支持し、試料のモルタルをＰ漏斗内に注ぎ、流出管から適量のモルタルを流出させた後、指で流出口を押さえ、モルタルを漏斗側面に設置したポイントゲージに接するまで注ぎ、次いで指を離して、モルタルを流出させ連続して流出しているモルタルがはじめて途切れるまでの流下時間をストップウォッチで測定することにより行われる。
【０００３】
また、別の粘度測定方法においては、上記と同様に漏斗に高流動性の試料を投入し、収納容器１２の壁面で、前記所定の流下量に相当する位置に計測ライン１６を設けておき、この収納容器内に流下させられる試料の上面が、前記計測ラインに至った時点で前記流下時間を測定することで、粘度を安定して測定することのできる測定方法が提案されている（例えば、特許文献１）。
【先行技術文献】
【特許文献】
【０００４】
【特許文献１】特開２００１−２８９７６７
【考案の概要】
【考案が解決しようとする課題】
【０００５】
上記に示したＰ漏斗を用いた高流動流体試料の流動性（粘度）を測定する装置においては、Ｐ漏斗を鉛直に支持する漏斗台が必要である。Ｐ漏斗の流出管の直下には、流出する試料を溜めるための容器を置くための空間、および、流出管を指で押さえるための手を挿入するための空間が必要であり、漏斗台の高さは５０ｃｍ程度と高くなってしまう。このため、輸送時や保管時にスペースを要するという課題があった。
【０００６】
本考案は上記の課題を解決するためになされたものであり、輸送時や保管時にスペースを要しないようにコンパクトに収納可能な漏斗台、およびそれを備えた試験装置を提供するものである。
【課題を解決するための手段】
【０００７】
本考案の請求項１に係る漏斗台は、高流動試料の粘度を測定するために使用するＰ漏斗を支持する漏斗台であって、
上記漏斗台の脚部下部が上記漏斗台の脚部上部と着脱可能にするための結合部を有する
ことを特徴とするものである。
【０００８】
本考案の請求項２に係る漏斗台は、高流動試料の粘度を測定するために使用するＰ漏斗を支持する漏斗台であって、
上記漏斗台の脚部上部を固定する中間固定部をさらに備え、
当該中間固定部と上記漏斗台の脚部下部とが着脱可能にするための結合部を有する
ことを特徴とするものである。
【０００９】
本考案の請求項３に係る漏斗台は、上記高流動試料の上記Ｐ漏斗からの流出時間を計測するためのストップウォッチを掛けるためのフックをさらに備えたことを特徴とするものである。
【００１０】
本考案の請求項４に係るＰ漏斗を用いて高流動試料の粘度を測定するための流動性試験装置は、
上記のいずれかに記載の漏斗台と、
上記高流動試料を投入するためのＰ漏斗と、
上記Ｐ漏斗直下に置かれる試料受と
を備えたことを特徴とするものである。
【考案の効果】
【００１１】
本考案に係る高流動試料の粘度を測定するための漏斗台、およびそれを備えた流動性試験装置は上記のように構成されているので、試験後は漏斗台の脚部の下部を取り外し、装置高さの約半分程度にコンパクトに収納あるいは輸送が可能である。
また、試験を行う際には、簡単に漏斗台を組み立て、迅速に試験を開始することができる。
さらに、上記高流動試料の上記Ｐ漏斗からの流出時間を計測するためのストップウォッチを掛けるためのフックを備えたことで、試験を迅速に且つ確実に行うことができる。
【図面の簡単な説明】
【００１２】
【図１】本考案に係る流動性試験装置の全体斜視図である。
【図２】本考案に係る流動性試験装置の脚部下部の結合部を説明するための図である。
【考案を実施するための形態】
【００１３】
実施の形態．
本考案に係る漏斗台、およびそれを備えた流動性試験装置の構成や使用方法に関して、以下において、図１および図２を用いて説明する。なお、以下の説明は本考案に関する良好な一例を開示するものであり、本考案が当該実施の形態に限定されるものではない。
【００１４】
＜構成＞
図１は流動性試験装置の全体斜視図であり、図２は流動性試験装置の脚部下部の結合部を説明するための図である。
高流動試料の粘度を測定するための流動性試験装置は、上記高流動試料を投入するためのＰ漏斗１と、当該Ｐ漏斗１を保持する漏斗台３と、Ｐ漏斗１直下に置かれる試料受４とを備え、上記漏斗台３の脚部３ｂ、３ｃの脚部下部３ｄが、脚部上部３ｂと着脱可能にするための結合部を有する。上記漏斗台３は三脚で構成されている。
【００１５】
また、図１において、２は高流動試料のＰ漏斗１への投入量を決めるためのポイントゲージ、１ａはＰ漏斗１の上部開口であり、試料投入口である。１ｂはＰ漏斗１の最下部に設けられた試料流出管である。３ａは漏斗台３の最上部に設けられ、Ｐ漏斗１を挿入することで、Ｐ漏斗１をしっかりと固定できる漏斗固定部である。
【００１６】
脚部上部３ｂと脚部下部３ｄとは、図２に示すような一方が雄ネジ、他方が雌ねじを有して、着脱可能に固定できるようにしても良いが、中間固定部３ｃを設けることで、より強固な構造を得ることができる。中間固定部３ｃは、例えば、リング状のものであり、３本の脚部上部３ｂそれぞれと溶接等により固定されている。また、中間固定部３ｃの下部には、雌ねじが設けられ、図２に示す脚部下部３ｄの結合部である雄ネジ部３ｃにより着脱可能に固定できる。結合機構は、このネジ留めのように、着脱可能に固定できる機構であれば、どのような機構であってもよい。
【００１７】
また、漏斗台３にはフック３ｆが設けられ、上記高流動試料の上記Ｐ漏斗からの流出時間を計測するためのストップウォッチを掛けることができる。このように試験時に使用する物を試験装置に掛けることが可能になり、試験を迅速かつ確実に実施することができる。
【００１８】
＜使用方法＞
収納や運搬時には、３本の脚部下部３ｄを中間固定部３ｃから外し、またＰ漏斗も漏斗固定部３ａから外してコンパクトに収納、運搬する。
【００１９】
使用時には、３本の脚部下部３ｄを中間固定部３ｃにネジ部３ｅにより固定する。そして、漏斗固定部３ａにＰ漏斗１を挿入する。
【００２０】
＜本考案のまとめ＞
Ｐ漏斗を用いた高流動試料の流動性試験においては、Ｐ漏斗を固定するための漏斗台が必要である。この漏斗台は例えば５０ｃｍ程度と高さが必要である。なぜなら、Ｐ漏斗の流出管の直下には、流出する試料を溜めるための容器を置くための空間、および、流出管を指で押さえるための手を挿入するための空間が必要であるためである。このように、漏斗台の高さは５０ｃｍ程度と高くなってしまうため、輸送時や保管時にスペースを要するという課題があった。
【００２１】
本考案に係る高流動試料の粘度を測定するための漏斗台、およびそれを備えた流動性試験装置はこの課題を解決するためになされたものであり、試験後は漏斗台の脚部の下部を取り外し、装置高さの約半分程度にコンパクトに収納あるいは輸送が可能である。
また、試験を行う際には、簡単に漏斗台を組み立て、迅速に試験を開始することができるという長所を有している。
さらに、上記高流動試料の上記Ｐ漏斗からの流出時間を計測するためのストップウォッチを掛けるためのフックを備えたことで、試験を迅速に且つ確実に行うことができる。
【符号の説明】
【００２２】
１  Ｐ漏斗
１ａ  試料投入口
１ｂ  試料流出管
２  ポイントゲージ
３  漏斗台
３ａ  漏斗固定部
３ｂ  脚部上部
３ｃ  中間固定部
３ｄ  脚部下部
３ｅ  結合部
３ｆ  フック
４  試料受
【図１】
0003222843.tif 000003
【図２】
0003222843.tif 000004